【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
通信装置であって、
外部装置と近接無線通信により通信する近接通信手段と、
前記通信装置の動作を制御する制御手段と、
を備え、
前記外部装置から前記近接無線通信を介して書き込み要求を受けたことに応じて前記近接通信手段は前記制御手段に通知し、前記外部装置から前記近接無線通信を介して読み出し要求を受けたことに応じては前記近接通信手段は前記制御手段に通知しない
ことを特徴とする通信装置。
【請求項２】
前記通信装置の各部に対する電力供給を制御する給電制御手段を更に備え、
前記外部装置から前記近接無線通信を介して書き込み要求を受けたことに応じて前記近接通信手段は前記給電制御手段に通知し、前記外部装置から前記近接無線通信を介して読み出し要求を受けたことに応じては前記近接通信手段は前記給電制御手段に通知しない
ことを特徴とする請求項１に記載の通信装置。
【請求項３】
前記通信装置は、
第１の状態と、前記第１の状態よりも省電力な状態である第２の状態とを含む複数の状態を有し、 
前記給電制御手段が前記近接通信手段から前記通知を受けたことに応じて前記第１の状態に遷移する
ことを特徴とする請求項２に記載の通信装置。
【請求項４】
前記通信装置は、
第１の状態と、前記第１の状態よりも省電力な状態である第２の状態とを含む複数の状態を有し、
前記近接通信手段が前記外部装置から書き込み要求を受けたことに応じて前記第１の状態に遷移し、
前記近接通信手段が前記外部装置から読み出し要求を受けたことに応じては前記第１の状態に遷移しない
ことを特徴とする請求項１に記載の通信装置。
【請求項５】
前記外部装置と、前記近接無線通信よりも通信距離の長い通信を行う第２の通信手段を更に備え、
前記制御手段は前記第２の通信手段を介した前記外部装置との通信を制御し、
前記外部装置から前記近接通信手段が書き込み要求を受けたことに応じて、前記制御手段は前記第２の通信手段を用いた通信の制御を開始し、前記外部装置から前記近接通信手段が読み出し要求を受けたことに応じては、前記制御手段は前記第２の通信手段を用いた通信の制御を開始しない
ことを特徴とする請求項１乃至４のいずれか１項に記載の通信装置。
【請求項６】
前記外部装置と、前記近接無線通信よりも通信距離の長い通信を行う第２の通信手段を更に備え、
前記制御手段は前記第２の通信手段を介した前記外部装置との通信を制御し、
前記外部装置から前記近接通信手段が書き込み要求を受けたことに応じて、前記制御手段は前記第２の通信手段を起動し、前記外部装置から前記近接通信手段が読み出し要求を受けたことに応じては、前記制御手段は前記第２の通信手段を起動しない
ことを特徴とする請求項１乃至４のいずれか１項に記載の通信装置。
【請求項７】
前記第２の通信手段による通信は、前記近接無線通信を介して前記外部装置と共有した通信パラメータを用いて確立される
ことを特徴とする請求項５又は６に記載の通信装置。
【請求項８】
前記第２の通信手段による通信は、前記近接無線通信を介した読み出し要求により前記外部装置と共有した通信パラメータを用いて確立される
ことを特徴とする請求項５又は６に記載の通信装置。
【請求項９】
前記第２の通信手段は、前記近接無線通信を介して前記外部装置と共有した通信パラメータを用いてネットワークを生成し、該ネットワークを介して前記外部装置との前記通信を確立する
ことを特徴とする請求項７又は８に記載の通信装置。
【請求項１０】
前記第２の通信手段は、前記外部装置からの前記第２の通信手段を用いた通信を介した切断指示を受信することに応じて前記第２の通信手段により確立された通信を切断する
ことを特徴とする請求項５乃至９のいずれか１項に記載の通信装置。
【請求項１１】
被写体を撮像して画像データを生成する撮像手段を更に備え、
前記第２の通信手段は前記画像データを前記外部装置に送信し、
前記近接通信手段は前記画像データを前記外部装置に送信しない
ことを特徴とする請求項５乃至１０のいずれか１項に記載の通信装置。
【請求項１２】
前記近接無線通信はＮＦＣであり、前記第２の通信手段による通信はＷＬＡＮである。
ことを特徴とする請求項５乃至１１のいずれか１項に記載の通信装置。
【請求項１３】
前記通知を受け付けた前記制御手段は、前記近接通信手段からデータを読み出す
ことを特徴とする請求項１乃至１２のいずれか１項に記載の通信装置。
【請求項１４】
前記データを読み出し終えた前記制御手段は、前記近接通信手段から前記データを削除する
ことを特徴とする請求項１３に記載の通信装置。
【請求項１５】
通信装置であって、
外部装置と近接無線通信により通信する近接通信手段と、
前記通信装置の動作を制御する制御手段と、
を備え、
前記通信装置は、
第１の状態と、前記第１の状態よりも省電力な状態である第２の状態とを含む複数の状態を有し、
前記近接通信手段が前記外部装置から書き込み要求を受けたことに応じて前記第１の状態に遷移し、
前記近接通信手段が前記外部装置から読み出し要求を受けたことに応じては前記第１の状態に遷移しない
ことを特徴とする通信装置。
【請求項１６】
前記外部装置と、前記近接無線通信よりも通信距離の長い通信を行う第２の通信手段を更に備え、
前記制御手段は前記第２の通信手段を介した前記外部装置との通信を制御し、
前記外部装置から前記近接通信手段が書き込み要求を受けたことに応じて、前記制御手段は前記第２の通信手段を起動し、前記外部装置から前記近接通信手段が読み出し要求を受けたことに応じては、前記制御手段は前記第２の通信手段を起動しない
ことを特徴とする請求項１５に記載の通信装置。
【請求項１７】
前記第２の通信手段による通信は、前記近接無線通信を介して前記外部装置と共有した通信パラメータを用いて確立される
ことを特徴とする請求項１６に記載の通信装置。
【請求項１８】
被写体を撮像して画像データを生成する撮像手段を更に備え、
前記第２の通信手段は前記画像データを前記外部装置に送信し、
前記近接通信手段は前記画像データを前記外部装置に送信しない
ことを特徴とする請求項１６又は１７に記載の通信装置。
【請求項１９】
通信装置の制御方法であって、前記通信装置は、
外部装置と近接無線通信により通信する近接通信手段と、
前記通信装置の動作を制御する制御手段と、
を備え、前記制御方法は、
前記外部装置から前記近接無線通信を介して書き込み要求を受けたことに応じて、前記近接通信手段が前記制御手段に通知する通知工程を備え、
前記外部装置から前記近接無線通信を介して読み出し要求を受けたことに応じては前記近接通信手段は前記制御手段に通知しない
ことを特徴とする制御方法。
【請求項２０】
通信装置のコンピュータに制御方法を実行させるためのプログラムであって、前記通信装置は、
外部装置と近接無線通信により通信する近接通信手段と、
前記通信装置の動作を制御する制御手段と、
を備え、前記制御方法は、
前記外部装置から前記近接無線通信を介して書き込み要求を受けたことに応じて、前記近接通信手段が前記制御手段に通知する通知工程を備え、
前記外部装置から前記近接無線通信を介して読み出し要求を受けたことに応じては前記近接通信手段は前記制御手段に通知しない
ことを特徴とするプログラム。
【請求項２１】
無線通信装置であって、
外部装置と近接無線通信により通信する近接通信手段と、
前記無線通信装置の動作を制御する制御手段と、
を備え、
前記制御手段は、前記近接通信手段により前記外部装置に読み出し要求を送信するよう制御し、
前記読み出し要求に対する応答を前記外部装置から受け付けたことに応じて、前記制御手段は、前記近接通信手段により書き込み要求を前記外部装置に送信するよう制御することを特徴とする無線通信装置。
【請求項２２】
外部装置と近接無線通信により通信する近接通信手段を有する無線通信装置の制御方法であって、
前記近接通信手段により前記外部装置に読み出し要求を送信する工程と、
前記読み出し要求に対する応答を前記外部装置から受け付けたことに応じて、前記近接通信手段により書き込み要求を前記外部装置に送信する工程とを有する無線通信装置の制御方法。
【請求項２３】
コンピュータを請求項２１に記載の無線通信装置の制御手段として機能させるための、コンピュータが読み取り可能なプログラム。
【手続補正２】
【補正対象書類名】明細書
【補正対象項目名】発明の名称
【補正方法】変更
【補正の内容】
【発明の名称】通信装置、通信装置の制御方法、無線通信装置、無線通信装置の制御方法、及びプログラム